(57)【要約】【課題】  収納部に蓋部とを係合させるロックを容易に行えるとともに、落下時にロックが外れることを防止することができるテープカセット用収納ケースを提供する。【解決手段】  テープカセット用収納ケース１０において、磁気テープカセット５０を収納する収納部１１の一部にヒンジ部１８を介して可動に設けられ、蓋部１２の係合部３７に係合可能なロック片１７を備え、ロック片１７の基端部に薄肉部４０が形成されている。【選択図】  図２
2005239229.tif 000002
【特許請求の範囲】
【請求項１】
磁気テープカセットを収納する収納部と、
前記収納部を囲む外板を有する蓋部と、
前記収納部及び前記蓋部を開閉可能に連結するヒンジ板部と、
前記蓋部の前記外板の外側面に形成された係合部と、
前記収納部の一部にヒンジ部を介して可動に連結され、前記係合部に係合可能なロック片とを備え、
前記ロック片の基端部に薄肉部が形成されたことを特徴とするテープカセット用収容ケース。
【請求項２】
前記薄肉部と前記ヒンジ部との間に顎肉部が形成され、前記顎肉部と前記薄肉部とが肉厚差を有するように設けられていることを特徴とする請求項１に記載のテープカセット用収容ケース。
【請求項３】
前記蓋部の前記外板には、前記収納部と前記蓋部が閉じた状態で、該外板と前記収納部との間で隙間となるように蓋側凹部が形成されていることを特徴とする請求項１又は２に記載のテープカセット用収納ケース。
【請求項４】
前記蓋部の前記外板には、前記収納部と前記蓋部が閉じた状態で、該外板と前記収納部との間で隙間となるように収納部側凹部が形成されていることを特徴とする請求項１又は２に記載のテープカセット用収納ケース。
【発明の詳細な説明】
【技術分野】
【０００１】
本発明は、放送局で磁気テープカセットを収納して保護するのに用いられるテープカセット用収納ケースに関する。
【背景技術】
【０００２】
一般に、放送局で用いられるテープカセットは、市販のビデオテープカセットなどに比較して大型で重量が大きいため、落下時にはテープカセットにかかる衝撃が大きく、テープカセットの損傷の原因となる。このため、テープカセットが衝撃によって損傷することを防ぐため、保管や搬送時には専用の合成樹脂製の収納ケースに収納される。
【０００３】
このような従来のテープカセット用収納ケースの一例として、収納部と、蓋部と、ヒンジ部と、からなるテープカセット用収納ケースが知られている（例えば、特許文献１参照）。
【０００４】
図５は、従来のテープカセット用収納ケースを示す図である。
図５に示すように、従来のテープカセット用収納ケース７０は、ハードタイプのケース本体を有し、ケース本体が、四側壁７２を有する収納部７１と、三側壁７４を有する蓋部７３と、収納部７１の底面板７５及び蓋部７３の天面板７６とがヒンジ７７，７８によって接続され、該蓋部７３を閉じた状態で蓋部７３の一側壁になる連接部７９と、からなる。
【０００５】
蓋部７３の内部において、連接部７９とは反対側の正面側の側壁７４の両端部には鉤部８１を備えた側壁ロック部８０が形成されている。鉤部８１は蓋部７３を閉じた時に、収納部７１の側壁７２に形成されている係止穴８２に係止される。
【０００６】
また、テープカセット用収納ケース７０には、連接部７９とは反対の正面側に、外周縁部８３を欠落させてサイドロック部８４が設けられている。サイドロック部８４は、収納部７１の底面板７５にヒンジ８５を介して接続され、フラップ板８６が設けられており、閉じられた蓋部７３の側壁７４に重ね合わされた時に、フラップ板８６に形成されている鉤部８７が蓋部７３の側壁７４の外表面の係止部（不図示）に係止されてロックされる。
【０００７】
【特許文献１】特開２００２−１７９１７６号公報
【発明の開示】
【発明が解決しようとする課題】
【０００８】
ところが、テープカセット用収納ケース７０では、サイドロック部８４を蓋部７３の係止部に係止ロックさせるに際し、収納部７１を蓋部７３側に手指で押し付けつつサイドロック部８４を蓋部７３の側壁７４へ押し込むことで係止する必要があり、ロックするのに弱い力で行うことが困難である点で改善の余地があった。
また、サイドロック部８４がロックされたテープカセット用収納ケース７０を落としてしまった時に、その衝撃によってサイドロック部８４が係止部から外れ、収納されている磁気テープカセットが飛び出して磁気テープカセットが損傷することがあった。
【０００９】
本発明は、上述した事情に鑑みてなされたものであり、その目的は、蓋部と収納部のロックを容易に行えるとともに、落下時にロックが外れることを防止することができるテープカセット用収納ケースを提供することにある。
【課題を解決するための手段】
【００１０】
本発明の上記目的は、磁気テープカセットを収納する収納部と、収納部を囲む外板を有する蓋部と、収納部及び蓋部を開閉可能に連結するヒンジ板部と、蓋部の外板の外側面に形成された係合部と、収納部の一部にヒンジ部を介して可動に連結され、係合部に係合可能なロック片とを備え、ロック片の基端部に薄肉部が形成されたことを特徴とするテープカセット用収容ケースによって達成される。
【００１１】
上記のテープカセット用収容ケースによれば、ロック片の基端部側に薄肉部が配置されている。すると、係合部にロック片を係合させる際に、薄肉部が撓むことによって係合部に係合させ易くなり、弱い力でも簡単にロックを行うことが可能となり、使い勝手が良い。
【００１２】
また、ロック片の基端部には薄肉部が形成されているために、ロック片が係合部にロックされているテープカセット用収納ケースが落下したとしても、その際の衝撃が薄肉部によって吸収されるようになり、この衝撃がロック片全体に伝わることがなく、ロック片が係合部から外れることを抑制できる。このため、落下時にロックが外れ難くすることで、収納部から磁気テープカセットが飛び出して損傷することを防止できる。
【００１３】
上記テープカセット用収納ケースは、薄肉部と前記ヒンジ部との間に顎肉部が形成され、顎肉部と薄肉部とが肉厚差を有するように設けられていることが好ましい。
【００１４】
こうすれば、薄肉部がヒンジ部を介してロック片に連結された顎肉部よりも厚さを薄く形成され、ロック片は顎肉部を介して薄肉部に間接的に支持される。すると、ロック片は顎肉部で強度が確保されるとともに、顎肉部より肉厚の薄い薄肉部によってロック片を係合部側に対して動かすロック操作が行いやすい。また、落下時には、収納部や蓋部にかかる衝撃が薄肉部において吸収されるため、ロック片の係合がはずれてしまうことを防止することができる。
【００１５】
上記テープカセット用収納ケースは、蓋部の外板には、収納部と蓋部が閉じた状態で、外板と収納部との間で隙間となるように蓋側凹部が形成されていることが好ましい。または、上記テープカセット用収納ケースは、蓋部の外板には、収納部と蓋部が閉じた状態で、外板と収納部との間で隙間となるように収納部側凹部が形成されていることが好ましい。
【００１６】
こうすれば、ロック片を係合部に係止するに際し、収納部と蓋部とを押し付け合うことで、蓋部の外板が隙間を設けた部位で撓むことにより、蓋部の係合部とロック片とが係合する位置に向ってより近づくため、より弱い力でもロックできるようになる。
【発明の効果】
【００１７】
本発明によれば、ロックを容易に行えるとともに、落下時にロックが外れることを防止することができるテープカセット用収納ケースを提供できる。
【発明を実施するための最良の形態】
【００１８】
以下、本発明に係る好適な実施の形態例を図面に基づいて詳細に説明する。図１は、本発明に係るテープカセット用収納ケースの一実施形態を示す斜視図である。図２は、図１に示すテープカセット用収納ケースのＡ−Ａ線断面図である。図３は、図１に示すテープカセット用収納ケースを開閉する状態を示す斜視図である。図４は、図１に示すテープカセット用収納ケースの閉じた状態を示す斜視図である。
【００１９】
図１に示すように、テープカセット用収納ケース１０は、磁気テープカセット５０を収納する収納部１１と、この収納部１１を囲む外板１３，１４，１５を有する蓋部１２と、収納部１１及び蓋部１２を開閉可能に連結するヒンジ板部１６と、ヒンジ部１８を介して収納部１１に対して可動に連結されたロック片１７と、が一体成形で構成されている。テープカセット用収納ケース１０は、ポリプロピレン（ＰＰ）等の高分子樹脂を材料として成形されている。
【００２０】
収納部１１の底板１９の外縁部には、周囲を囲んで配された周板２０，２１，２２，２３が立設されている。周板２０は収納部１１の正面側に配され、周板２１は収納部１１の背面側に配され、周板２２，２３は収納部１１の左・右面側に配されている。周板２０，２１，２２，２３の中央部には、高さが低くなるように切除された凹部２４，２５，２６，２７がそれぞれ形成されている。
【００２１】
収納部１１には、底板１９の中央部に、一対のリール係止リブ２８が形成されている。  リール係止リブ２８は、スリットによって周方向に複数に分割された円筒形状を有する。リール係止リブ２８に磁気テープカセット５０に有する巻取ハブ（不図示）を挿入することにより、磁気テープカセット５０を収納部１１に位置決めする。
【００２２】
収納部１１には、周板２０，２１の内側（図１において２個ずつ）と、周板２２，２３の内側（図１において１個ずつ）とに、四角柱形状を有する角ボス３０が形成されている。各角ボス３０は、磁気テープカセット５０の外周を位置決めすることによって、磁気テープカセット５０を収納部１１内でがたつかないように保持する。
【００２３】
収納部１１には、周板２０の前面における、凹部２４の両側には第１の係合部３１がそれぞれ形成されている。ヒンジ板部１６側に位置する外板１３の内面側両端部には、第１の係止部３２が形成されている。蓋部１２が閉じられる際に、第１の係合部３１と第１の係止部３２とが係合するように構成されている。
【００２４】
蓋部１２には、天板３３の外縁部に周囲の３方を囲んで配された外板１３，１４，１５が天板３３上に直立して形成されている。蓋部１２を収納部１１に被せた状態で、外板１３が収納部１１の正面に位置するよう形成され、外板１４，１５が収納部１１の両側面に位置するように形成されている。
【００２５】
外板１３の中央部には、高さが低くなるように切除された蓋側凹部３４が形成されている。収納部１１に蓋部１２を閉じた状態で、外板１３の蓋側凹部３４を設けた箇所が収納部１１における外板１３と離間するため、蓋部１２の外板１３と収納部１１との間に一部隙間が生じる。収納部１１及び蓋部１２における上記隙間が生じた部位近傍を押し付け合うことで、蓋部１２が撓むように構成されている。収納部１１と蓋部１２が閉じた状態で、外板１３と収納部１１との間に隙間となれば上記蓋側凹部３４に限らず、例えば、収納部１１における蓋部１２と当接する箇所に収納部側凹部が形成されていてもよい。こうすれば、収納部１１及び蓋部１２における隙間が生じた部位近傍を押し付け合うことで、蓋部１２が収納部側凹部に撓む構成とすることができる。
【００２６】
蓋部１２には、天板３３の外縁部であって、外板１３，１４，１５の端部寄りの位置に、高さの低い四角柱形状の角ボス３５が形成されている。各角ボス３５は、蓋部１２が収納部１１に対して閉じられた際に、磁気テープカセット５０の上面周縁部に当接することによって、磁気テープカセット５０を安定的に支持する。
【００２７】
蓋部１２は、対向配置された外板１４，１５の内側に、高さの高い四角柱形状の角ボス３６が形成されている。角ボス３６は、蓋部１２が収納部１１に対して閉じられた際に、収納部１１の周板２２，２３の外側面と蓋部１２の外板１４，１５の内側面との間に位置するように設けられ、閉じられた蓋部１２が適正な位置になるように案内する。
【００２８】
ヒンジ板部１６は、収納部１１と蓋部１２との間に、湾曲された板形状に形成されている。ヒンジ板部１６における、収納部１１と蓋部１２に連結する縁辺にはヒンジ３８，３９が形成されている。一方のヒンジ３８は、収納部１１の底板１９の一辺に連結されており、他方のヒンジ３９は、蓋部１２の天板３３の一辺に連結されている。
【００２９】
図３に示すように蓋部１２には、外板１３の外側の中央部に第２の係合部３７が形成されている。
【００３０】
収納部１１の前面側の周板２０における中央部下端には、台形形状を有する板状のロック片１７が連結されている。図２に示すように、ロック片１７は、収納部１１の周板２０の下端部から延設された薄肉部４０と、薄肉部４０の周板２０とは反対側の端部から図２において上方へ垂直に立設された顎肉部４１とを有している。ロック片１７は、顎肉部４１の上端部にヒンジ部１８を介して薄肉部４０の周板２０側へ折り畳むように可動に形成されている。ロック片１７には、第２の係止部４２が形成されている。
【００３１】
テープカセット用収納ケース１０は、蓋部１２が収納部１１に対して閉じられることにより、第１の係合部３１に第１の係止部３２がそれぞれ係合されてロックした後に、さらに、ロック片１７がヒンジ部１８を介して図１中の上方に向けて立ち上げることにより、第２の係止部４２が蓋部１２の第２の係合部３７に係合されてロックする、所謂、ダブルロックする構成である。
【００３２】
本実施形態のテープカセット用収納ケース１０では、ロック片１７を動かして第２の係止部４２を第２の係合部３７に係合させる際に、薄肉部４０が適宜撓むようになる。すると、ロック片１７が動かしやすくなり、ロック片１７における第２の係止部４２を第２の係合部３７に係合させ易くなり、薄肉部が形成されていない構成に比較してより弱い力でも簡単にロックを行うことが可能となり、使い勝手が良い。
【００３３】
また、ロック片１７が薄肉部４０を有しているために、ロック片１７の係止部４２が蓋部１２の係合部３７にロックされている状態でテープカセット用収納ケースが落下した場合、衝撃が薄肉部４０によって吸収され、衝撃がロック片１７全体に伝わることがないため、ロック片１７の係止部４２が係合部３７から外れることを抑制できる。このため、落下時にロックが外れ難くすることで、収納部１１から磁気テープカセット５０が飛び出して損傷することを防止できる。
【００３４】
図２に示すように、薄肉部４０は、その一端（図２において右側端部）が収納部１１の周板２０の下端部に、その他端（図２において左側端部）が顎肉部４１の下端部に、それぞれ連接されており、顎肉部４１の厚さｔ１よりも小さい厚さｔ２にされている。本実施形態では、顎肉部の肉厚を１．５ｍｍ以上とし、薄肉部の肉厚を０．８ｍｍ〜１．５ｍｍとした。
【００３５】
次に、図３，図４を参照して、テープカセット用収納ケース１０の使用手順について説明する。
まず、図１に示す開状態において、収納部１１の周板２０，２１，２２，２３内に磁気テープカセット５０を落とし込み、磁気テープカセット５０の巻取ハブをリール係止リブ２８に嵌め入れる。磁気テープカセット５０が収納部１１内に収められたところで、ヒンジ板部１６を介して蓋部１２を回動させ、蓋部１２を収納部１１に被せる。
【００３６】
図４に示すように、蓋部１２の外板１３，１４，１５が収納部１１の底板１９に当接させて蓋部１２を収納部１１に被せるときに、蓋部１２の第１の係止部３２が収納部１１の第１係合部３１にそれぞれ係止される。そして、ロック片１７を図４中矢印で示すように傾けることによって、ロック片１７の第２の係止部４２が、蓋部１２の第２の係合部３７に係合する。このとき、薄肉部４０における撓みによって顎肉部４１が上方へ持ち上げられることにより、第２の係止部４２と第２の係合部３７とを係合する位置に向って互いに近づけて係合させることができる。
【００３７】
上述したように、テープカセット用収納ケース１０によれば、ロック片１７の基端部側に薄肉部４０が配置される。それにより、第２の係合部３７に係合させるためにロック片１７を立ち上げる際に、薄肉部４０が撓むことによって、ロック片１７を第２係合部３７に掛かり易くするので、小さな力でも簡単にロックを行える。従って、ロックを容易に行うことができる。また、ロック片１７が薄肉部４０に連結されているために、ロック片１７が第２の係合部３７にロックされているテープカセット用収納ケース１０が落下したとしても、その際の衝撃が薄肉部４０によって吸収されるので、ロック片１７が第２係合部３７から容易に外れることがない。従って、ロックが安易に外れないようして磁気テープカセット５０を保護することができる。
【００３８】
また、本実施形態のテープカセット用収納ケース１０のように、薄肉部４０とヒンジ部１８との間に顎肉部４１が形成され、顎肉部４１と薄肉部４０とが肉厚差を有するように設けられている構成とすれば、薄肉部４０が、ヒンジ部１８を介してロック片１７に連結された顎肉部４１よりも厚さを薄く形成され、ロック片１７は顎肉部４１を介して薄肉部４０に間接的に支持される。すると、ロック片１７は顎肉部４１によって強度が確保されるとともに、顎肉部４１より薄肉部４０の肉厚が薄くなるように構成されているため、ロック片１７を傾けて第２の係合部３７に係合させるロック操作が行いやすい。また、落下時には、収納部１１や蓋部１２にかかる衝撃が薄肉部４０において吸収されるため、ロック片１７の係合がはずれてしまうことを防止できる。
【００３９】
さらに、本実施形態のテープカセット用収納ケース１０のように、蓋部１２の外板１３には、収納部１１と蓋部１２が閉じた状態で、外板１３と収納部１１との間で隙間となる蓋側凹部３４が形成されている構成とすれば、ロック片１７を第２の係合部３７に係止するに際し、収納部１１と蓋部１２とを押し付け合うことで、蓋部１２の外板１３が蓋側凹部３４を設けた部位で撓むことにより、蓋部１２の係合部３７とロック片１７とが係合する位置に向って互いにより近づくようになるため、弱い力でもロックできるようになる。
【００４０】
なお、本発明は、前述した実施形態に限定されるものではなく、適宜、変形、改良等が可能である。
例えば、ロック片の形状は、図示した台形形状に限定されることはなく、四角形であっても、或いは半円形状であってもよい。
【図面の簡単な説明】
【００４１】
【図１】本発明に係るテープカセット用収納ケースの一実施形態を示す開状態の外観斜視図である。
【図２】図１に示したテープカセット用収納ケースのロック片周りの断面図である。
【図３】図１に示したテープカセット用収納ケースを閉じる途中の外観斜視図である。
【図４】図１に示したテープカセット用収納ケースの閉状態の外観斜視図である。
【図５】従来のテープカセット用収納ケースの開状態の外観図である。
【符号の説明】
【００４２】
１０              テープカセット用収納ケース
１１              収納部
１２              蓋部
１３，１４，１５  外板
１６              ヒンジ板部
１７              ロック片
１８              ヒンジ部
２０              周板
３４              蓋側凹部
３７              第２の係合部（係合部）
４０              薄肉部
４１              顎肉部
５０              磁気テープカセット
【図１】
2005239229.tif 000003
【図２】
2005239229.tif 000004
【図３】
2005239229.tif 000005
【図４】
2005239229.tif 000006
【図５】
2005239229.tif 000007